(57)【要約】【課題】開閉装置を適切に後付けできる開閉装置の取付方法を提供する。【解決手段】既設の建物１にこの建物１の入隅用柱部６および柱部７を利用して四方枠状の取付下地枠体４をねじで固定する。次いで、取付下地枠体４に窓シャッタ３の左右の縦ガイドレール枠４３を固定してから、縦ガイドレール枠４３の取付片４２に窓用シャッタ本体４０を取り付けることにより、取付下地枠体４に窓シャッタ３を支持させる。【選択図】        図１
2004263462.tif 000002
【特許請求の範囲】
【請求項１】
構築構造物の入隅部に開閉装置を後付けする開閉装置の取付方法であって、
前記構築構造物の入隅用柱部を利用して前記構築構造物に取付下地枠体を固定する工程と、
この固定された取付下地枠体に前記開閉装置を支持させる工程と
を備えたことを特徴とする開閉装置の取付方法。
【請求項２】
構築構造物の外壁面より突出した突出部の下方位置に開閉装置を後付けする開閉装置の取付方法であって、
前記構築構造物に取付下地枠体を固定する工程と、
この固定された取付下地枠体に前記開閉装置を支持させ、この開閉装置の一部をサッシ開口に対向させる工程と
を備えたことを特徴とする開閉装置の取付方法。
【請求項３】
構築構造物の入隅部に開閉装置を後付けした開閉装置構造であって、
前記構築構造物の入隅用柱部を利用して前記構築構造物に固定された取付下地枠体と、
この取付下地枠体によって支持された前記開閉装置と
を備えたことを特徴とする開閉装置構造。
【請求項４】
構築構造物の外壁面より突出した突出部の下方位置に開閉装置を後付けした開閉装置構造であって、
前記構築構造物に固定された取付下地枠体と、
この取付下地枠体によって支持され、一部がサッシ開口に対向した前記開閉装置と
を備えたことを特徴とする開閉装置構造。
【発明の詳細な説明】
【０００１】
【発明の属する技術分野】
本発明は、開閉装置を適切に後付けできる開閉装置の取付方法および開閉装置構造に関する。
【０００２】
【従来の技術】
従来、例えば窓シャッタ等の開閉装置の取付方法として、予め四方枠状に枠組みされたシャッタ取付枠体を壁面仕上げ前のシャッタ取付壁面に先付けし、次いで、壁面仕上げ後にシャッタ取付枠体に縦ガイドレール枠およびシャッタボックス等を装着する方法が知られている（例えば、特許文献１参照。）。
【０００３】
そして、この取付方法によれば、壁面仕上げ作業の際に作業者がシャッタボックス上に乗るようなことがなく、壁面仕上げ作業に起因したシャッタボックスの傾きや損傷等の不具合の発生を防止できる。
【０００４】
【特許文献１】
特開平７−１１９３７０号公報（第２頁、図１）
【０００５】
【発明が解決しようとする課題】
ところが、近年、既設の構築構造物である例えば建物に窓シャッタ等の開閉装置を後付けする場合が多く、この場合には、例えば入隅部或いはバルコニーの下方位置等では、開閉装置を適切に後付けすることが困難な場合がある。
【０００６】
本発明は、このような点に鑑みなされたもので、開閉装置を適切に後付けできる開閉装置の取付方法および開閉装置構造を提供することを目的とする。
【０００７】
【課題を解決するための手段】
請求項１記載の開閉装置の取付方法は、構築構造物の入隅部に開閉装置を後付けする開閉装置の取付方法であって、前記構築構造物の入隅用柱部を利用して前記構築構造物に取付下地枠体を固定する工程と、この固定された取付下地枠体に前記開閉装置を支持させる工程とを備えたものである。
【０００８】
そして、構築構造物に固定された取付下地枠体に開閉装置を支持させることにより、既設の構築構造物の入隅部に開閉装置を適切に後付けすることが可能となる。
【０００９】
請求項２記載の開閉装置の取付方法は、構築構造物の外壁面より突出した突出部の下方位置に開閉装置を後付けする開閉装置の取付方法であって、前記構築構造物に取付下地枠体を固定する工程と、この固定された取付下地枠体に前記開閉装置を支持させ、この開閉装置の一部をサッシ開口に対向させる工程とを備えたものである。
【００１０】
そして、構築構造物に固定された取付下地枠体に開閉装置を支持させることにより、既設の構築構造物の突出部の下方位置に開閉装置を適切に後付けすることが可能となる。
【００１１】
請求項３記載の開閉装置構造は、構築構造物の入隅部に開閉装置を後付けした開閉装置構造であって、前記構築構造物の入隅用柱部を利用して前記構築構造物に固定された取付下地枠体と、この取付下地枠体によって支持された前記開閉装置と備えたものである。
【００１２】
そして、構築構造物に固定された取付下地枠体に開閉装置を支持させることにより、既設の構築構造物の入隅部に開閉装置を適切に後付けすることが可能となる。
【００１３】
請求項４記載の開閉装置構造は、構築構造物の外壁面より突出した突出部の下方位置に開閉装置を後付けした開閉装置構造であって、前記構築構造物に固定された取付下地枠体と、この取付下地枠体によって支持され、一部がサッシ開口に対向した前記開閉装置とを備えたものである。
【００１４】
そして、構築構造物に固定された取付下地枠体に開閉装置を支持させることにより、既設の構築構造物の突出部の下方位置に開閉装置を適切に後付けすることが可能となる。
【００１５】
【発明の実施の形態】
まず、本発明の開閉装置構造の第１の実施の形態について説明する。
【００１６】
図１および図２において、１は既設の構築構造物である建物（例えば木造住宅等）で、この既設の建物１は入隅部２を有している。そして、この建物１の入隅部２には、開閉装置である窓シャッタ３が四方枠状の取付下地枠体４を介して後付けされている。
【００１７】
ここで、取付下地枠体４は、例えば建物１の入隅部２にこの建物１の少なくとも入隅用柱部６および通常の柱部７を利用してねじ等の固定具８により固定されたものである。すなわち、取付下地枠体４は、外壁部９を介して入隅用柱部６、柱部７、間柱部および梁部等に固定されている。
【００１８】
そして、この取付下地枠体４は、図３にも示すように、細長筒状の縦枠１１と、この縦枠１１とそれぞれ離間対向して位置する細長筒状の入隅側上縦枠１２および断面略Ｌ字状の入隅側下縦枠１３とを有している。また、この取付下地枠体４は、上から順に、細長筒状の上横枠１４と、細長筒状の中横枠１５と、細長筒状の下横枠１６とを有している。
【００１９】
なお、これらの各枠１１〜１６には、複数のねじ用孔等の固定用孔１８が形成されている。また、断面形状が同じ縦枠１１、入隅側上縦枠１２、上横枠１４、中横枠１５および下横枠１６には、長手方向に沿った段部１９が形成されている（図１および図２参照）。
【００２０】
そして、入隅側上縦枠１２の上端部および上横枠１４の一端部と、入隅側下縦枠１３の下端部および下横枠１６の一端部と、縦枠１１の上端部および上横枠１４の他端部と、縦枠１１の下端部および下横枠１６の他端部とが、２つの連結部２１を有する連結部材２２によってそれぞれ連結されている。また、入隅側上縦枠１２の下端部、入隅側下縦枠１３の上端部および中横枠１５の一端部が、３つの連結部２３を有する中間連結部材２４によって連結されている。
【００２１】
また一方、取付下地枠体４には、図２および図４に示されるように、この取付下地枠体４を補強する下地枠補強体２６が上横枠１４および中横枠１５間に嵌入された状態でねじ等の固定具２７により固定されている。この下地枠補強体２６は、例えば略矩形板状の補強板部２８を有し、この補強板部２８の３辺の縁部からは固定板部２９が突出し、この固定板部２９が対向する上横枠１４、中横枠１５および入隅側上縦枠１２に固定されている。
【００２２】
なお、図１に示されるように、取付下地枠体４の入隅側下縦枠１３が入隅用柱部６に外壁部９を介して固定され、取付下地枠体４の縦枠１１が柱部７に入隅側下縦枠１３が当接した外壁部９に対して直交状に位置する外壁部９を介して固定されている。
【００２３】
また、建物１には、四方枠状のサッシ枠３１とこのサッシ枠３１に左右方向に移動可能に嵌着されサッシ開口３２を開閉するサッシ障子３３とにて構成されたサッシ装置３４が取り付けられている（図５参照）。取付下地枠体４の入隅側下縦枠１３は、サッシ装置３４のサッシ枠３１と干渉しないような形状に形成されている。また、サッシ枠３１の側方位置に入隅用柱部６が配置されている。
【００２４】
一方、窓シャッタ３は、下地枠補強体２６にて補強された取付下地枠体４によって略全重量が支えられて支持されたものである。
【００２５】
そして、この窓シャッタ３は、図１および図２に示すように、巻取りおよび巻戻しにより昇降してシャッタ開口３６を開閉する開閉体であるシャッタカーテン３７がシャッタボックス３８に組み込まれた本体である窓用シャッタ本体４０と、シャッタカーテン３７をガイドするガイド溝４１が縦方向に沿って形成されかつ取付片４２が上端側に切起しにより形成された左右一対の縦ガイドレール枠４３とを有している。
【００２６】
これら左右対称の縦ガイドレール枠４３のうちの一方の縦ガイドレール枠４３が取付下地枠体４の入隅側上縦枠１２および入隅側下縦枠１３にその縦方向に沿ってねじ等の固定具４４により固定され、他方の縦ガイドレール枠４３が取付下地枠体４の縦枠１１にその縦方向に沿ってねじ等の固定具４４により固定されている。そして、これら固定された両縦ガイドレール枠４３の取付片４２に窓用シャッタ本体４０が引掛けにより取り付けられている。
【００２７】
次いで、このような開閉装置構造であるシャッタ構造の施工方法つまり窓シャッタ３の取付方法について説明する。
【００２８】
図５に示す既設の建物１の入隅部２に窓シャッタ３を後付けする場合は、まず、図６に示すように、建物１の入隅部２に少なくとも入隅用柱部６および柱部７を利用して四方枠状の取付下地枠体４を固定する。
【００２９】
このとき、予め枠組みして四方枠状にしてから取付下地枠体４を建物１に対して固定してもよく、取付下地枠体４を形成する各枠部材１１〜１６を適宜順々に建物１に対して固定してもよい。
【００３０】
また、取付下地枠体４の各枠部材１１〜１６の固定用孔１８は、工場で予め形成しておいてもよく、施工現場で建物１に応じて形成してもよい。ここで、施工現場で固定用孔１８を形成する場合、上横枠１４、中横枠１５および下横枠１６については図８に示すけがき治具４６を使用する。このけがき治具４６は、板部材を略Ｌ字状に折り曲げたもので、段部１９に係合する係合縁部４７が形成されているとともに、上横枠１４および中横枠１５用のけがき孔部４８および下横枠１６用のけがき孔部４９が形成されている。
【００３１】
なお、各枠部材１１〜１６の外壁部９と接触する外壁接触面にはゴム板等の弾性板を貼着することが好ましく、また、縦枠１１、入隅側上縦枠１２および上横枠１４にはバックアップ材およびシーリング材を設けることが好ましい。
【００３２】
続いて、図７に示すように、建物１に固定された四方枠状の取付下地枠体４の上横枠１４および中横枠１５間に下地枠補強体２６を嵌入固定してこの取付下地枠体４を補強した後、この補強固定された取付下地枠体４に窓シャッタ３を支持させる。
【００３３】
すなわち例えば、入隅側上縦枠１２および入隅側下縦枠１３に一方の縦ガイドレール枠４３を固定するとともに、縦枠１１に他方の縦ガイドレール枠４３を固定し、その後、これら固定された両縦ガイドレール枠４３の取付片４２に窓用シャッタ本体４０を引掛けにより取り付ける。
【００３４】
このようにして、建物１の入隅部２に固定された取付下地枠体４に窓シャッタ３の枠体である左右の縦ガイドレール枠４３を固定してから、この縦ガイドレール枠４３の取付片４２に窓用シャッタ本体４０を取り付けることにより、この取付下地枠体４で窓シャッタ３をしっかりと支えることができるため、既設の建物１の入隅部２であっても、窓シャッタ３を適切に後付けすることができる。
【００３５】
次に、本発明の開閉装置構造の第２の実施の形態を図９および図１０を参照して説明する。
【００３６】
図９および図１０に示す開閉装置構造であるシャッタ構造は、前記第１の実施の形態の取付下地枠体４とは異なる四方枠状の取付下地枠体４ａを備えているが、その他の構成部材は前記第１の実施の形態の構成部材と基本的に同一である。
【００３７】
この取付下地枠体４ａは、細長筒状の入隅側上縦枠１２、断面略Ｌ字状の入隅側下縦枠１３および中間連結部材２４の代わりに、縦枠１１と同じ長さでこの縦枠１１と離間対向して位置する細長筒状の入隅側縦枠５１を有している。この入隅側縦枠５１は、図９から明かなように例えば断面矩形の筒部５２とこの筒部５２から突出した固定板部５３とにて構成され、サッシ装置３４のサッシ枠３１と干渉しないような形状となっている。
【００３８】
そして、前記第１の実施の形態と同様、建物１の入隅部２に固定された取付下地枠体４ａに窓シャッタ３の左右の縦ガイドレール枠４３を固定してから、この縦ガイドレール枠４３の取付片４２に窓用シャッタ本体４０を取り付けることにより、この取付下地枠体４ａで窓シャッタ３をしっかりと支えることができるため、既設の建物１の入隅部２であっても、窓シャッタ３を適切に後付けすることができる。
【００３９】
また、取付下地枠体４ａが取付下地枠体４より構成が簡単であるため、前記第１の実施の形態に比べて窓シャッタ３を簡単に後付けできる。
【００４０】
次に、本発明の開閉装置構造の第３の実施の形態を図１１ないし図１３を参照して説明する。
【００４１】
図１２および図１３に示す開閉装置構造であるシャッタ構造は、既設の建物１の外壁面つまり外壁部９の外面から突出した突出部６１の下方位置にこの突出部６１に近接させて開閉装置である窓シャッタ３を後付けしたものである。この突出部６１は、例えば上の階のバルコニー或いは軒等である。また、この窓シャッタ３は、突出部６１があるために取付スペースが少なく、窓用シャッタ本体４０の一部がサッシ開口３２に対向した状態となっている。
【００４２】
そして、このシャッタ取付構造は、前記第１、第２の実施の形態の取付下地枠体４，４ａとは異なる四方枠状の取付下地枠体４ｂを備えているが、その他の構成部材（例えば窓シャッタ３およびサッシ装置３４等）は前記第１、第２の構成部材と基本的に同一である。
【００４３】
この取付下地枠体４ｂは、互いに離間対向した左右一対の細長筒状の縦枠１１と、上下一対の細長筒状の上横枠１４および下横枠１６とを有し、これらの各枠部材１１，１４，１６には複数のねじ用孔等の固定用孔１８が形成されかつ長手方向に沿った段部１９が形成されている。
【００４４】
そして、各枠部材１１，１４，１６の端部同士、すなわち、一方の縦枠１１の上端部および上横枠１４の一端部と、一方の縦枠１１の下端部および下横枠１６の一端部と、他方の縦枠１１の上端部および上横枠１４の他端部と、他方の縦枠１１の下端部および下横枠１６の他端部とが、２つの連結部２１を有する連結部材２２によってそれぞれ連結されている。なお、この取付下地枠体４ｂは下地枠補強体２６で補強されていない。
【００４５】
なお、図１１に示されるように、取付下地枠体４ｂの両縦枠１１が対応する両柱部７に外壁部９を介してねじ等の固定具８により固定され、この両縦枠１１に窓シャッタ３の両縦ガイドレール枠４３がねじ等の固定具４４により固定されている。そして、これら固定された両縦ガイドレール枠４３の取付片４２に窓用シャッタ本体４０が引掛けにより取り付けられている。
【００４６】
そして、このシャッタ構造の施工は、まず、窓シャッタ３を取り付けるに先立って、建物１に少なくとも両柱部７を利用して四方枠状の取付下地枠体４ｂを固定する。
【００４７】
続いて、この固定された四方枠状の取付下地枠体４ｂに窓シャッタ３を支持させ、この窓シャッタ３の窓用シャッタ本体４０の一部をサッシ開口３２に対向させる。すなわち例えば取付下地枠体４ｂの両縦枠１１に窓シャッタ３の両縦ガイドレール枠４３を固定し、その後、これら固定された両縦ガイドレール枠４３の取付片４２に窓用シャッタ本体４０を引掛けにより取り付ける。
【００４８】
このようにして、突出部６１の下方位置で既設の建物１に固定された取付下地枠体４ｂに窓シャッタ３の左右の縦ガイドレール枠４３を固定してから、この縦ガイドレール枠４３の取付片４２に窓用シャッタ本体４０を取り付けることにより、この取付下地枠体４ｂで窓シャッタ３をしっかりと支えることができるため、既設の建物１のバルコニー等の突出部６１の下方位置であっても、窓シャッタ３を適切に後付けすることができる。
【００４９】
なお、上記第１、第２の実施の形態は、片側入隅の場合について説明したが、例えば両側入隅の場合にも適用でき、また、上記第３の実施の形態のように建物１等の構築構造物の外壁面から突出した突出部６１の下方位置にこの突出部６１に近接させて窓シャッタ等の開閉装置を後付けする場合にも適用でき、つまり片側入隅または両側入隅と突出部６１とが複合したような場合にも適用できる。
【００５０】
また、取付下地枠体４，４ａは中横枠１５を有しないものでもよく、さらに、取付下地枠体４，４ａに下地枠補強体２６を必ずしも固定する必要はない。また、取付下地枠体４，４ａ，４ｂは、四方枠状のものには限定されず、上横枠１４または下横枠１６を有しない三方枠状のもの等でもよい。
【００５１】
さらに、開閉装置は、窓シャッタには限定されず、その他のシャッタや、ブラインド装置或いはスクリーン装置等にも適用することができる。
【００５２】
また、図示しないが構築構造物の内部に位置する壁等の入隅部や突出部の下方位置に近接した開口空間に開閉装置を後付けするような場合にも適用可能である。
【００５３】
なお、構築構造物は、木造住宅等の建物には限定されず、例えば船、地下街、トンネル等でもよい。
【００５４】
【発明の効果】
請求項１の発明によれば、構築構造物に固定された取付下地枠体に開閉装置を支持させることにより、既設の構築構造物の入隅部に開閉装置を適切に後付けできる。
【００５５】
請求項２の発明によれば、構築構造物に固定された取付下地枠体に開閉装置を支持させることにより、既設の構築構造物の突出部の下方位置に開閉装置を適切に後付けできる。
【００５６】
請求項３の発明によれば、構築構造物に固定された取付下地枠体に開閉装置を支持させることにより、既設の構築構造物の入隅部に開閉装置を適切に後付けできる。
【００５７】
請求項４の発明によれば、構築構造物に固定された取付下地枠体に開閉装置を支持させることにより、既設の構築構造物の突出部の下方位置に開閉装置を適切に後付けできる。
【図面の簡単な説明】
【図１】本発明の開閉装置構造の第１の実施の形態の横断面図である。
【図２】同上開閉装置構造の縦断面図である。
【図３】同上開閉装置構造の取付下地枠体の正面図である。
【図４】同上開閉装置構造の下地枠補強体の斜視図である。
【図５】同上開閉装置の取付方法を説明するための図である。
【図６】図５に続く説明図である。
【図７】図６に続く説明図である。
【図８】けがき治具を示す斜視図である。
【図９】本発明の開閉装置構造の第２の実施の形態の横断面図である。
【図１０】同上開閉装置構造の取付下地枠体の正面図である。
【図１１】本発明の開閉装置構造の第３の実施の形態の横断面図である。
【図１２】同上開閉装置構造の縦断面図である。
【図１３】同上開閉装置構造の取付下地枠体の正面図である。
【符号の説明】
１    構築構造物である建物
２    入隅部
３    開閉装置である窓シャッタ
４，４ａ，４ｂ    取付下地枠体
６    入隅用柱部
６１    突出部
【図１】
2004263462.tif 000003
【図２】
2004263462.tif 000004
【図３】
2004263462.tif 000005
【図４】
2004263462.tif 000006
【図５】
2004263462.tif 000007
【図６】
2004263462.tif 000008
【図７】
2004263462.tif 000009
【図８】
2004263462.tif 000010
【図９】
2004263462.tif 000011
【図１０】
2004263462.tif 000012
【図１１】
2004263462.tif 000013
【図１２】
2004263462.tif 000014
【図１３】
2004263462.tif 000015